(57)【要約】【課題】鉛の少ない半田を使用しても乾電池ターミナルを確実に固定することができるリモコン装置の提供を目的とする。【解決手段】乾電池１００のプラス端子とマイナス端子とに接触して制御基板１３に電源を供給する乾電池ターミナル１３ｂ１を制御基板１３の一端に半田を盛り付けて形成するとともに、乾電池ターミナル１３ｂ１を形成する面を直角方向に外向きに折曲させ端子接触面１３ｂを形成する。さらに筺体の後方側壁に、筺体の後方側壁から前方に突出するようバッテリースプリング１４を配置し、端子接触面１３ｂとバッテリースプリング１４とで乾電池１００を狭持するよう、制御基板１３を端子接触面１３ｂがバッテリースプリング１４の突出方向と対向するよう筺体内に固定する。【選択図】図１
2007336248.tif 000002
【特許請求の範囲】
【請求項１】
押圧操作を受け付ける複数の操作キーが配置された操作パットと、
略矩形であって、上記操作パットが受け付ける押圧動作に基づいて受信側を遠隔操作する赤外線の操作信号をＬＥＤランプを介して出力する制御基板と、
略矩形のトップケースとボトムケースとから成り、上記制御基板と上記制御基板に電源を供給する筒形状の２本の乾電池とを前後に配置して収容する筺体とを有するリモコン装置において、
上記ボトムケースは、底面から立設する隔壁にて区切られた上記制御基板と乾電池とを収容する凹部を有するとともに、上記制御基板を収容する凹部の隔壁側に幅方向に伸びて底面から立設するリブを有し、
上記制御基板は、ＬＥＤランプを配置して上記操作信号を生成する回路を実装する操作信号生成面と、上記２本の乾電池のプラス端子とマイナス端子とに接するパターンを有する端子接触面とをミシン線にて区切り、
上記端子接触面のパターンに半田を盛り付けるとともに、上記操作信号生成面と上記半田を盛り付けたパターンとをメッキ線を用いて配線することで、上記乾電池のプラス端子とマイナス端子とに接触して上記制御基板に電源を供給する乾電池ターミナルを形成し、  上記ミシン線に沿って上記乾電池ターミナルを形成する面を、上記制御基板に対して垂直方向に外向きに折曲させ、
上記ボトムケースの後方側壁の内側に、乾電池のプラス端子とマイナス端子に接する両方が付勢力を有するよう螺旋状に突出するバッテリースプリングを螺旋状の突出方向を上記ボトムケースの後方側壁から前方に向けて配置し、
上記乾電池ターミナルとバッテリースプリングとで上記乾電池を狭持するよう、上記制御基板を上記ボトムケースに形成されたリブにて上記端子接触面が上記バッテリースプリングの突出方向と対向するよう支持して、上記制御基板を上記ボトムケースに固定することを特徴とするリモコン装置。
【請求項２】
筺体内に受信側を遠隔操作する操作信号を出力する制御基板と電源としての乾電池を収容するリモコン装置において、
上記乾電池のプラス端子とマイナス端子とに接触して上記制御基板に電源を供給する乾電池ターミナルを上記制御基板の一端に半田を盛り付けて形成するとともに、上記乾電池ターミナルを形成する面を直角方向に外向きに折曲させ端子接触面を形成し、
上記筺体の後方側壁に、上記筺体の後方側壁から前方に突出するようバッテリースプリングを配置し、
上記端子接触面と上記バッテリースプリングとで上記乾電池を狭持するよう、上記制御基板を、上記端子接触面が上記バッテリースプリングの突出方向と対向するよう上記筺体内に固定することを特徴とするリモコン装置。
【請求項３】
当該リモコン装置は、上記制御基板の裏側に乾電池を配置する構成であって、
上記制御基板を上記筺体に配置した場合、上記操作パットと接触する側と反対の面を裏面とすると、
上記端子接触面を垂直方向に折曲させた際、上記乾電池ターミナルが上記筺体側壁に配置されたバッテリースプリングと対向するよう、上記端子接触面の裏面に上記乾電池ターミナルを配置することを特徴とする請求項２に記載のリモコン装置。
【請求項４】
上記端子接触面は、乾電池のプラス端子とマイナス端子が接する箇所にパターンを形成し、上記パターンに半田を盛ることで乾電池ターミナルを形成することを特徴とする請求項２または請求項３のいずれかに記載のリモコン装置。
【請求項５】
上記バッテリースプリングは、乾電池のプラス端子とマイナス端子に接する両方が付勢力を有するよう螺旋状に突出する形状であることを特徴とする請求項２または請求項４のいずれかに記載のリモコン装置。
【発明の詳細な説明】
【技術分野】
【０００１】
本発明は、リモコン装置に関して、特にリモコン装置の電池固定構造に関する。 
【背景技術】
【０００２】
従来、家電製品の遠隔操作に用いるリモコン装置の電源として乾電池が使用されている。リモコン装置の乾電池固定方法の説明を行うために、まずは、従来のリモコン装置の構成の説明を行う。図８は、従来のリモコン装置の概略構成図である。同図より、リモコン装置１は、ユーザからの操作を受け付ける操作キーが所定間隔で配置された操作パット３と、操作を受け付けた操作パット３により回路が導通し、ＬＥＤランプ４ａを発光させて受信側へ操作信号を送信する制御基板４と、制御基板４へ電源電圧を供給する乾電池１００の接点となる乾電池ターミナルとしてのバッテリースプリング６ａ、６ｂ、さらには上記した制御基板４、操作パット３、バッテリースプリング６、乾電池１００を収容するトップケース２とボトムケース５とを有する構成である。
【０００３】
ボトムケース５は、制御基板４と乾電池１００とを上下に収容するよう底面と側壁にて凹部を形成している。これにより乾電池１００は、ボトムケース５の後方内壁にて形成された凹部にて乾電池１００のプラス端子とマイナス端子を制御基板４側に向けて配置する。制御基板４のボトムケース５の後方側に配置される一端には、バッテリースプリング６ａが乾電池のプラス端子とマイナス端子と接するよう配置されている。また、ボトムケース５の後方側壁にも、制御基板４に配置されたバッテリースプリング６ａと対向するようバッテリースプリング６ｂが配置されている。これにより、２つのバッテリースプリング６ａと６ｂとで乾電池１００の長手方向を狭持し乾電池１００から電源を制御基板４に供給する。
【０００４】
上述した、乾電池ターミナルとしてのバッテリースプリング６ａを制御基板４に固定する方法として、従来半田を用いた固定方法が知られている。ここで述べる半田とは、錫と鉛を混ぜ合わせて合金としたものである。材質を合金とすることで錫のみに比べて融点を低くすることができ、合金を発熱させた後素早く冷却するため、工場等の組み立て現場において広く使用されている。しながら、工場環境における有害物質の削減の取り組みから、半田の成分から有害な鉛の含有量を削減する動きにある。半田は人体にとって有害な物質であるため、半田から鉛の含有量を削減することで半田付けを行う際に発生する有害なガスを除去し、作業者の身体の安全を守ることが可能となる。一方、鉛を混ぜない半田は、鉛を混ぜた場合に比べて融点が高くなる。一例として約６０パーセントの錫と約３０パーセントの鉛を混合した半田の場合融点は１８７度付近となるのに対して、鉛の含有量を削減して銀を混合した錫銀共晶半田の融点は２２０度付近となる。
【０００５】
そのため鉛の含有量が少ない半田を使用する場合、融点を通常の半田に比べて高温にするとともに高温にした融点を保持する必要がある。しかしながら、半田の融点を保持するために例えば３００度付近に設定した場合、基板側の溶解による破損等が起こるため半田側の融点をあまり高くすることはできない。このような鉛の含有量が少ない半田を用いてバッテリースプリング６ａを制御基板４に固定する場合、バッテリースプリング６ａと制御基板４のプリントとを固定する半田がバッテリースプリング６ａの熱伝導性により融点付近に保持されないという問題があった。
【０００６】
何故なら、乾電池１００のプラス端子とマイナス端子とに接触して導通するためバッテリースプリング６ａは金属性である必要がある。さらに、バッテリースプリング６は乾電池１００を両側から狭持する役目も有しており、乾電池１００の狭持する方向に弾性力を有する構成である。そのためにバッテリースプリング６は螺旋状に巻かれた形状となっている。上記したバッテリースプリング６ａの材質と形状によりバッテリースプリング６ａは熱伝導性が高くなる。そのため、半田材の熱はバッテリースプリング６ａを介して外部に逃げていき、制御基板４とバッテリースプリング６ａとが確実に半田付けされず、乾電池からの電源を制御基板４に供給しない不良品の発生を招いていた。
【０００７】
上述した半田付けによる不良品の防止として、半田による部品の固定作業を減らす方法が開示されている。基板の一部にあらかじめ乾電池の端子と接触する部品を設けておき、リモコン装置の組み立て時に、上記した部品を切り取り乾電池ホルダに嵌め込むことで固定を行う。これにより、基板の一部から形成した部品を乾電池ホルダの形状に合わせて嵌め込んで固定できるようにし、半田付けの作業を無くすことが可能となる（例えば、特許文献１参照。）。
【０００８】
また、バッテリースプリングの基板への取り付け方法を改善して、作業性と安全性を向上させる方法が開示されている。この場合、ボトムケースの電池収容部側縁部の近傍に一対の穴を形成し、上記穴に略コ字形の電池端子の一方側の上向き片をそれぞれ挿入する。これにより、ボトムケースにトップケースを被せた際、電池端子が穴に挿入した上向き片により固定されるとともに、ボトムケースとトップケースにより上下で狭持されるため、半田付けを使用せず作業者が安全に組み立てることが可能となる（例えば、特許文献２参照。）。
【０００９】
さらに、バッテリースプリング（詳細な説明では電池バネ）の基板への半田付け方法の改善として、以下の方法が開示されている。この場合、基板側に長穴、スリット、穴とを上記した順番で近接して形成する。さらに、バッテリースプリングから延設される端部に、上記した長穴に挿入する盛り上がり部、スリットに挿入する直線部、さらには穴に挿入する略コ字形の先端部を折り曲げて形成する。そして、基板側の長穴、スリット、穴の各開口にバッテリースプリングの対応する部位を挿入し位置決めを行う。そのため、作業者は、バッテリースプリングが基板に位置決めされた状態で半田付けを行うことが可能となり、位置決めによる手間がかからず作業性を向上することができる。（例えば、特許文献３参照。）。
【００１０】
同様に、バッテリースプリング（詳細な説明では電池用ターミナル）の基板への半田付け方法の改善として、以下の方法が開示されている。この場合、基板側に大小径の異なる穴を形成し、バッテリースプリングから延設される先端に、上記した大きい径の穴に挿入するＵ字状の折り曲げ部と、小さい径の穴に対応折り曲げ部とを形成する。これにより、バッテリースプリングの上記２つの折り曲げ部を、対応する基板の各穴に挿入して位置決めを行う。そのため、作業者はバッテリースプリングが基板に位置決めされた状態で半田付けを行うことが可能となり、位置決めによる手間がかからず作業性を向上することができる（例えば、特許文献４参照。）。
【００１１】
【特許文献１】特開昭６２−２１６１５８
【特許文献２】特開２００２−３５２７８５
【特許文献３】特開２００６−４８３７
【特許文献４】実用新案登録第３０７０４９９
【発明の開示】
【発明が解決しようとする課題】
【００１２】
上述した特許文献１の発明は、次のような課題があった。つまり基板の一部を嵌め合わせて固定するため、ボトムケース側に基板にて形成した部品と嵌め合わさる形状が必要となり構造を複雑にさせた。具体的には、ボトムケース側の内壁にて、基板から切り取った接触部が嵌め込めるよう固定リブや、溝を形成する必要が生じる。そのため、ボトムケースに乾電池を収容する部位を形成する構成においては、コスト高となってしまうばかりか、場合によっては一体で形成できない場合も生じる。
【００１３】
また、特許文献２の発明は、次のような課題がった。つまり、基板に余計な穴を形成する必要があり、基板に形成する回路パターン配置の制約の原因となる。さらに、乾電池の端子と接する箇所を筺体に対して嵌め合わせて固定しているだけなので、基板との間に接点不良を起こす危険性がある。
【００１４】
さらに、特許文献３、特許文献４の発明は、バッテリースプリングを半田付けする際、予め基板に位置決めして作業性を向上するための方法であり、鉛の含有量の少ない半田を使用する際の半田付け不良を解消するものではなかった。つまり、半田の融点を高温で保持できない要素の一つである、バッテリースプリングの熱伝導性の改善をなんら解決するものではない。
【００１５】
本発明は、上記課題にかんがみてなされたもので、鉛の含有量の少ない半田を用いても制御基板とバッテリースプリングとの間に接触不良を起こすことなく乾電池を固定することが可能なリモコン装置の提供を目的とする。
【課題を解決するための手段】
【００１６】
上記目的を達成するために、請求項２に記載のリモコン装置では、筺体内に受信側を遠隔操作する操作信号を出力する制御基板と電源としての乾電池を収容するリモコン装置において、
上記乾電池のプラス端子とマイナス端子とに接触して上記制御基板に電源を供給する乾電池ターミナルを上記制御基板の一端に半田を盛り付けて形成するとともに、上記乾電池ターミナルを形成する面を直角方向に外向きに折曲させ端子接触面を形成し、上記筺体の後方側壁に、上記筺体の後方側壁から前方に突出するようバッテリースプリングを配置し、上記端子接触面と上記バッテリースプリングとで上記乾電池を狭持するよう、上記制御基板を、上記端子接触面が上記バッテリースプリングの突出方向と対向するよう上記筺体内に固定する構成としている。
【００１７】
上記のように構成した請求項２にかかる発明において、乾電池を筺体内で保持し電源を取り出すために、制御基板の一端に半田を盛り付けて乾電池ターミナルを形成するとともに、筺体後方側壁に、バッテリースプリングを筺体前方に向けて突出するよう固定する。さらに、上記制御基板を乾電池ターミナルと上記バッテリースプリングが対向するよう筺体内に制御基板を固定して、筺体内に電池を収容する空間を形成する。乾電池ターミナルを有する端子接触面の形成方法としては、制御基板の端部に予め乾電池ターミナルを形成しておき、形成した乾電池ターミナルを直角方向に外向きにして折曲して形成する。これにより、バッテリースプリングを基板に半田付けすることなく、乾電池ターミナルを形成することが可能となり、鉛の含有量が少ない半田を使用しても、制御基板とバッテリースプリングとを半田付けしないため、バッテリースプリングと制御基板の半田付け不良を解消することが可能となる。乾電池ターミナルの配置箇所としては、制御基板と乾電池との位置関係によって適宜変更すればよい。
【００１８】
また、予め基板側に乾電池ターミナルを形成しておき、上記乾電池ターミナルを形成した箇所を折り曲げるだけなので、バッテリースプリング等の接触金具を制御基板に半田付けするのに比べ組み立て方法は簡易となる。そのため作業性の向上を図ることが可能となる。
【００１９】
さらに、端子接触面に配置される乾電池ターミナルの構成の一例として、請求項３にかかる発明では、当該リモコン装置は、上記制御基板の裏側に乾電池を配置する構成であって、上記制御基板を上記筺体に配置した場合、上記操作パットと接触する側と反対の面を裏面とすると、上記端子接触面を垂直方向に折曲させた際、上記乾電池ターミナルが上記筺体側壁に配置されたバッテリースプリングと対向するよう、上記端子接触面の裏面に上記乾電池ターミナルを配置する構成としている。
【００２０】
上記のように配置した乾電池ターミナルの構成により、制御基板の裏側に乾電池を配置して筺体内に収容することが可能となる。そのため制御基板の後方に乾電池を配置するリモコン装置に比べて、乾電池を制御基板の後方に配置することが可能となるため、筺体の大きさを乾電池の大きさ分だけ小さくすることが可能となる。
【００２１】
また上記したリモコン装置の乾電池ターミナルの形成方法の一例として、請求項４にかかる発明では、上記乾電池ターミナルは、乾電池のプラス端子とマイナス端子が接する箇所にパターンを形成し、上記パターンに半田を盛ることで接触部を形成する構成としてある。
【００２２】
上記のように構成した乾電池ターミナルでは、乾電池と接する箇所に別体の金具を必要とせず、またパターン上に半田を盛って乾電池ターミナルを構成する。そのため、部品点数を削減することができ生産コストの削減につなげることができる。
【００２３】
さらに、筺体内で乾電池ターミナルと共に乾電池を保持するバッテリースプリングの構成の一例として、請求項５にかかる発明では、上記バッテリースプリングは、乾電池のプラス端子とマイナス端子に接する両方のスプリング部が付勢力を有するよう螺旋状に突出する形状である構成としてある。
【００２４】
上記のように構成したバッテリースプリングの形状により、乾電池を制御基板側に形成した乾電池ターミナルとバッテリースプリングにて狭持する。この際、バッテリースプリングの螺旋状に突出したスプリング部が、乾電池を乾電池ターミナル側に押し出すため、乾電池は筺体内に確実に保持される。
【００２５】
また、本発明の具体的な実施の形態として請求項１にかかる発明では、押圧操作を受け付ける複数の操作キーが配置された操作パットと、略矩形であって、上記操作パットが受け付ける押圧動作に基づいて受信側を遠隔操作する赤外線の操作信号をＬＥＤランプを介して出力する制御基板と、略矩形のトップケースとボトムケースとから成り、上記制御基板と上記制御基板に電源を供給する筒形状の２本の乾電池を前後に配置して収容する筺体とを有するリモコン装置において、
上記ボトムケースは、底面から立設する隔壁にて区切られた上記制御基板と乾電池とを収容する凹部を有するとともに、上記制御基板を収容する凹部の隔壁側に幅方向に伸びて底面から立設するリブを有し、上記制御基板は、ＬＥＤランプを配置して上記操作信号を生成する回路を実装する操作信号生成面と、上記２本の乾電池のプラス端子とマイナス端子とに接するパターンを有する端子接触面とをミシン線にて区切り、上記端子接触面のパターンに半田を盛り付けるとともに、上記操作信号生成面と上記半田を盛り付けたパターンとをメッキ線を用いて配線することで、上記乾電池のプラス端子とマイナス端子とに接触して上記制御基板に電源を供給する乾電池ターミナルを形成し、上記ミシン線に沿って上記乾電池ターミナルを形成する面を、上記制御基板に対して垂直方向に外向きに折曲させ、上記ボトムケースの後方側壁の内側に、乾電池のプラス端子とマイナス端子に接する両方が付勢力を有するよう螺旋状に突出するバッテリースプリングを螺旋状の突出方向を上記ボトムケースの後方側壁から前方に向けて配置し、上記乾電池ターミナルとバッテリースプリングとで上記乾電池を狭持するよう、上記制御基板を上記ボトムケースに形成されたリブにて上記端子接触面が上記バッテリースプリングの突出方向と対向するよう支持して、上記制御基板を上記ボトムケースに固定する構成としている。
【発明の効果】
【００２６】
以上説明したように本発明によれば、鉛の含有量の少ない半田を用いても乾電池と接触する箇所が接触不良を起こさず、組み立て時に作業性を向上することが可能なリモコン装置を提供することができる。
また請求項３にかかる発明によれば、筺体の大きさを小さくすることが可能となる。
さらに請求項４にかかる発明によれば、部品点数を少なくして製作を容易とし、作業効率を高めることが可能となる。
そして請求項５にかかる発明によれば、乾電池を確実に保持することが可能となる。
さらに請求項１のような、より具体的な構成において、上述した請求項２〜請求項５の各発明と同様の作用を奏することはいうまでもない。
【発明を実施するための最良の形態】
【００２７】
以下、下記の順序に従って本発明の実施形態を説明する。
（１）第一の実施の形態
（２）第一の実施の形態における効果
（３）第二の実施の形態
（４）第二の実施の形態における効果
【００２８】
（１）第一の実施の形態
以下、図１〜図６を参照して、この発明に係るリモコン装置を具体化した実施の形態について説明する。図１は、リモコン装置１０の構成を表す図である。同図より、リモコン装置１０の機能として、大きくはユーザからの操作キーの押圧操作を受付、押圧操作を基に制御基板１３がＬＥＤランプ１３ａ１から赤外線信号として受信側に送信する。受信側としてはテレビジョン装置や、ＤＶＤビデオ等の家電製品を対象としているが、これに限定されずリモコン装置を介して遠隔操作を行うものであればよい。
【００２９】
上記したリモコン装置１０の機能を実現するために、リモコン装置１０は以下の構成としている。ユーザからの押圧操作を受け付ける操作パット１２。略矩形形状であって、操作パット１２で受け付けた押圧操作を基に操作信号を生成し、生成した操作信号をＬＥＤランプ１３ａ１から赤外線信号として出力する制御基板１３。操作パット１２と制御基板１３を収容する筺体１６を構成するトップケース１１とボトムケース１５。後述する乾電池ターミナルとで乾電池１００を狭持して制御基板１３に乾電池からの電源を供給するバッテリースプリング１４。さらには、トップケース１１とボトムケース１５とをネジ止めするネジ１７。
【００３０】
上述したリモコン装置１０が使用する乾電池の種類としては、筒形状のリチウムイオン乾電池や、アルカリイオン乾電池等が上げられる。また、その形状としは、単三乾電池や単四乾電池の円柱状の乾電池が使用されるが、乾電池の種類としては使用する制御基板１３の性能に合わせて選択すればよい。
【００３１】
以下にリモコン装置１０の構成を、ボトムケース１５、制御基板１３の順で説明していく。図２は、本発明の実施の形態でのボトムケース１５を表す斜視図である。同図よりボトムケース１５は、略矩形形状であって、略長方形の底面１５ａと底面外周より立設する側壁１５ｂ〜１５ｅにて凹部を形成し、上記凹部前方側に制御基板１３を収容するとともに、後方側に２本の乾電池を横並びに配置する。そのため、ボトムケース１５の底面は、制御基板１３と乾電池を縦並びに配置するとともに、制御基板１３の横幅と、乾電池２本を幅方向に横並びに配置できるだけの面積を有している。
【００３２】
また、ボトムケース１５の凹部は、底面１５ａより突出する隔壁１５ｆにて、凹部の前方に制御基板１３が収容される制御基板収容部１８と、後方に乾電池が収容される乾電池収容部１９とを形成する。これにより、制御基板１３と２本の乾電池１００は、ボトムケース１５の前後に配置されて収容される。制御基板収容部１８には、底面１５ａよりボス１５ａ１〜１５ａ８が高さをそろえて立設している。これにより制御基板１３を制御基板収容部１８に収容した場合、ボトムケース１５の側壁１５ｂ〜１５ｄと隔壁１５ｆにて制御基板１３の両側壁、さらには前後方向が保持されるとともに、ボス１５ａ１〜１５ａ８にて制御基板１３のボトムケース１５内での高が保持される。また、ボス１５ａ７、１５ａ８の後方には、リブ１５ａ９が筺体の幅方向に伸びるよう底面１５ａから立設している。
【００３３】
乾電池収容部１９は、２本の乾電池を横並びにボトムケース１５内に配置するためのものである。そのため、乾電池収容部１９は、ボトムケース１５の前後方向に伸びて底面略中央より乾電池間仕切り部１５ｇが立設しており、これにより、ボトムケース１５の側壁１５ｃ、１５ｄさらには隔壁１５ｆにて乾電池１００を配置するための窪みを形成する。上述したボトムケース１５の内側の構造を形成する方法として、本実施の形態ではボトムケース１５を上型と下型を用いて樹脂にて一体成形する際、同様に一体形成している。
【００３４】
次に、制御基板１３を説明する。図１より、制御基板１３は、操作パット１２が受け付けた押圧動作を基にＬＥＤランプ１３ａ１から受信側を遠隔操作する赤外線信号を送信するためのものである。制御基板１３の回路構成は周知技術であり、さらに本発明の構成要素とは直接の関係を有さないためここでは省略する。制御基板１３の構成は、操作信号を生成するための回路を実装する操作信号生成面１３ａと、乾電池１００のプラス端子とマイナス端子と接して操作信号生成面１３ａに乾電池からの電源を供給する乾電池ターミナル１３ｂ１が形成された端子接触面１３ｂとを一端に有する構成である。以下制御基板１３の製造方法の説明を中心に、制御基板１３を説明していく。
【００３５】
図３は、制御基板１３を製造する工程を表す工程図である。図中３−ａから３−ｄに行くに従い、本発明の実施の形態である制御基板１３が形成される。同図３−ａにて、操作信号生成面１３ａと、端子接触面１３ｂに必要な回路をプリントする。また、端子接触面１３ｂと操作信号生成面１３ａとの境には両面を区切るとともに、後に折線として作用するミシン線１３ｅを形成する。操作信号生成面１３ａと端子接触面１３ｂとの境に形成する折り線は、端子接触面１３ｂを垂直方向に外向に向けて折曲する際、折り曲げやすくするものであればよい。一例としては、操作信号生成面１３ａと端子接触面１３ｂとの境を一箇所だけ繋げるものであってもよい。
【００３６】
次に図中３−ｂにて、端子接触面１３ｂに乾電池ターミナルとしての半田を盛り付けるためのプリントを形成する。本発明の実施の形態では以下のように構成することで組み立て時の作業性をより一層向上させている。図４は、端子接触面１３ｂを拡大して表した図である。同図より、端子接触面１３ｂは、端子接触面１３ｂの一面に銅箔が貼られ、さらには乾電池のプラス端子とマイナス端子とが接する箇所に略楕円形の切れ込みが入れられている。上記した銅箔の略楕円形箇所の外側を手で剥がすことにより略楕円形箇所のみが残り半田盛り付け用のパターン１３ｃを形成するようになっている。次に、上記方法で形成したパターン１３ｃと操作信号生成面１３ａの電源入力端子とをメッキ線１３ｄにて配線する。
【００３７】
また図中３−ｃにて、３−ｂで配線したメッキ線１３ｄもろとも端子接触面１３ｂのパターン１３ｃに半田を盛り、乾電池ターミナル１３ｂ１を形成する。このとき、ＬＥＤランプ１３ａ１も制御基板１３の操作信号生成面１３ａと半田付けを行う。上述した乾電池ターミナル用のプリントの形成により、乾電池１００の端子と接する接点用の金具等を使用せず接点を形成することができ、かつ銅箔を剥がして半田を盛り付けるだけなので、接点用な金具を取り付けるのと比べ作業が非常に楽になる。乾電池ターミナル１３ｂ１を形成する方法としては、上述したパターン１３ｃの外側の銅箔を手で剥がして乾電池ターミナル１３ｂ１を形成する他、操作信号生成面１３ａのパターンを形成する際、エッチング処理を用いて事前に形成されるものであってもよい。
【００３８】
さらに、上述したようにメッキ線を配線に用いることで、半田付けの際、メッキ線１３ｄに伝わった半田からの熱が逃げづらく半田の融解熱を保持することが可能となる。このとき、メッキ線１３ｄの配置箇所としては、端子接触面１３ｂに形成されたパターン１３ｃの外側両縁に配置しておく。これにより、乾電池１００をボトムケース１５に配置した際、乾電池１００の端子とメッキ線１３ｄとか干渉しない。
【００３９】
最後に図中３−ｄにて、３−ａにて形成したミシン線１３ｅに沿って端子接触面１３ｂを外向にして直角方向に折り曲げる。これにより、端子接触面１３ｂは、操作信号生成面１３ａに対して略垂直に配置されることとなる。また、操作信号生成面１３ａと端子接触面１３ｂとは、メッキ線１３ｄにて繋がっているため分離することはない。
【００４０】
上記のように形成した制御基板１３をボトムケース１５に取り付ける方法を説明する。図５は、ボトムケース１５に配置される制御基板１３と乾電池１００を表す側面図である。同図より、制御基板１３はボトムケース１５の制御基板収容部１８に、端子接触面１３ｂの乾電池ターミナル１３ｂ１の裏面が、リブ１５ａ９の側壁に位置するよう配置している。さらに、ボトムケース１５の後方側壁１５ｄにバッテリースプリング１４を、スプリングの突出方向が端子接触面１３ｂと対向するように配置し固定する。また、本発明の実施の形態では、制御基板１３の固定方法として、トップケース１１にて制御基板１３並びに操作パット１２を収容する際、ボトムケース１５側から挿入されるネジ１７にてトップケース１１と友締めすることにより固定している。
【００４１】
このとき、バッテリースプリング１４の形態としては以下に記す形状であることが望ましい。バッテリースプリング１４は、乾電池１００をボトムケース１５の乾電池収容部１９に収容した際、乾電池１００を乾電池ターミナル１３ｂ１とで狭持するための付勢力を発生させるものである。図６はバッテリースプリング１４の形状を表す斜視図である。同図より、バッテリースプリング１４は、軸状のベース部１４ａの両端を螺旋状に突出する形状とした押し出し部１４ｂ、１４ｃが２本略並行に並んだ形状である。上記形状のバッテリースプリング１４を螺旋状の突出方向をボトムケース１５の後方側壁１５ｅからボトムケース１５の前方側に向けて配置する。
【００４２】
上記のように制御基板１３とバッテリースプリング１４が配置されたボトムケース１５に乾電池１００を収容した場合、乾電池１００の端子接触面１３ｂ側の端子は、端子接触面１３ｂと当接するとともに、他方がバッテリースプリング１４から押し力を加えられる。このとき、リブ１５ａ９は、バッテリースプリング１４にて制御基板１３側に押し出された乾電池１００を反力によって支持する。そのため、乾電池１００はバッテリースプリング１４と端子接触面１３ｂにて長手方向を狭持されボトムケース１５内に収容される。
【００４３】
（２）第一の実施の形態の効果
以上説明したように、この実施の形態に係るリモコン装置によれば、鉛の含有量が少ない半田を使用しても、制御基板１３と乾電池ターミナル１３ｂ１としてのバッテリースプリングとを半田付けしないため、バッテリースプリングと制御基板の半田付け不良を解消することが可能となる。また、予め制御基板１３側に乾電池ターミナル１３ｂ１を形成しておき、上記乾電池ターミナルを形成した箇所を折り曲げるだけなので、バッテリースプリング等の接触金具を制御基板に半田付けするのに比べ組み立て方法は簡易となる。そのため作業性の向上を図ることが可能となる。
【００４４】
（３）第二の実施の形態
上述した実施の形態では、ボトムケース１５に制御基板１３と乾電池１００とを前後に配置するリモコン装置１０について実施の形態を説明した。しかしながら、制御基板１３の後ろ側に乾電池１００を配置する形状のリモコン装置であっても本発明は適応することが可能となる。図７は、第二の実施の形態での、制御基板の後方に乾電池を配置するリモコン装置を表す斜視図である。同図は説明し易いよう、制御基板１３の後方側の一部をカットして制御基板１３の下側に配置される乾電池１００を図示している。第二の実施の形態でのリモコン装置１０は、制御基板１３は幅方向側面を折曲して端子接触面１３ｂを形成している。また、制御基板１３をボトムケース１５に配置した場合、操作パット１２と接触する側と反対の面を裏面とすると、乾電池ターミナル１３ｂ１は端子接触面１３ｂの裏面側に形成されている。
【００４５】
そのため、乾電池ターミナル１３ｂ１は、上記した第一の実施の形態と異なり、乾電池ターミナル１３ｂ１を内側に向けて端子接触面１３ｂを折曲している。また、バッテリースプリング１４は、乾電池ターミナル１３ｂ１と対向して配置されるよう螺旋の突出方向を幅方向に向けて配置している。このため上記構成にて乾電池１００をボトムケース１５に収容した場合、バッテリースプリング１４の乾電池１００を介して端子接触面１３ｂに加えられる押力は、ボトムケース１５の側壁１５ｄにより受け止められる。これにより第一の実施の形態と比較してリブ１５ａ９が必要なくボトムケース１５の形状を簡素化することが可能となる。
【００４６】
（４）第二の実施の形態の効果
第二の実施の形態でのリモコン装置１０では、鉛の含有量が少ない半田を使用しても、制御基板とバッテリースプリングとを半田付けしないため、バッテリースプリングと制御基板の半田付け不良を解消することが可能となる効果の他、以下に記載する効果を得ることが可能となる。すなわち、乾電池１００を収容する箇所を制御基板１３の後方とすることで、乾電池収容部１９分の長さを省略することが可能となり、リモコン装置１０のサイズを小さくすることが可能となる。これにより、リモコン装置１０のより一層の小型化を可能とすることができる。
【００４７】
なお、本発明は上記実施の形態に限られるものでないことは言うまでもない。当業者であれば言うまでもないことであるが、
・上記実施の形態の中で開示した相互に置換可能な部材および構成等を適宜その組み合わせを変更して適用すること
・上記実施の形態の中で開示されていないが、公知技術であって上記実施の形態の中で開示した部材および構成等と相互に置換可能な部材および構成等を適宜置換し、またその組み合わせを変更して適用すること
・上記実施の形態の中で開示されていないが、公知技術等に基づいて当業者が上記実施の形態の中で開示した部材および構成等の代用として想定し得る部材および構成等と適宜置換し、またその組み合わせを変更して適用すること
は本発明の一実施の形態として開示されるものである。
【図面の簡単な説明】
【００４８】
【図１】リモコン装置の構成を表す図である。
【図２】本発明の実施の形態でのボトムケースを表す斜視図である。
【図３】制御基板を製造する工程を表す工程図である。
【図４】端子接触面を拡大して表した図である。
【図５】ボトムケースに配置される制御基板と乾電池を表す側面図である。
【図６】バッテリースプリング１４の形状を表す斜視図である。
【図７】第二の実施の形態での、制御基板の後方に乾電池を配置するリモコン装置を表す斜視図である。
【図８】従来のリモコン装置の概略構成図である。
【符号の説明】
【００４９】
１０…リモコン装置、１１…トップケース、１２…操作パット、１３…制御基板、１３ａ…操作信号生成面、１３ａ１…ＬＥＤランプ、１３ｂ…端子接触面、１３ｂ１…乾電池ターミナル、１３ｃ…パターン、１３ｄ…メッキ線、１３ｅ…ミシン線、１４…バッテリースプリング、１４ａ…ベース部、１４ｂ、１４ｃ…押し出し部、１５…ボトムケース、１５ａ…底面、１５ａ１〜１５ａ８…ボス、１５ａ９…リブ、１５ｂ、１５ｃ、１５ｄ、１５ｅ…側壁、１５ｆ…隔壁、１５ｇ…乾電池間仕切り部、１６…筺体、１７…ネジ、１８…制御基板収容部、１９…乾電池収容部、１００…乾電池
【図１】
2007336248.tif 000003
【図２】
2007336248.tif 000004
【図３】
2007336248.tif 000005
【図４】
2007336248.tif 000006
【図５】
2007336248.tif 000007
【図６】
2007336248.tif 000008
【図７】
2007336248.tif 000009
【図８】
2007336248.tif 000010